【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
入力された画像データに対して所定の処理を施し、各種機能の各解像度に適した画像データを出力する画像処理装置であって、
上記入力された画像データの濃度値と上記出力する画像データの濃度値との関係に係る濃度特性を算出し、当該濃度特性に係る第１式の各係数を上記各機能の選択に応じて調整し、当該機能に係る解像度に適した第２式を算出し、当該第２式に基づいて上記入力された画像データに対して所定の処理を施す画像処理手段を有することを特徴とする画像処理装置。
【請求項２】
入力された画像データに対して所定の処理を施し、各種機能の各解像度に適した画像データを出力する画像処理装置であって、
上記入力された画像データの濃度値と上記出力する画像データの濃度値との関係に係る濃度特性を指数関数及び対数関数の少なくともいずれかを用いた曲線近似により算出し、当該濃度特性に係る第１式の各係数を上記各機能の選択に応じて調整し、当該機能に係る解像度に適した第２式を算出し、当該第２式に基づいて上記入力された画像データに対して所定の処理を施す画像処理手段と、
上記画像処理手段により各機能の解像度に適した所定の処理が施された画像データを出力する出力制御手段と、
を有することを特徴とする画像処理装置。
【請求項３】
入力された画像データに対して所定の処理を施し、各種機能の各解像度に適した画像データを出力する画像処理装置であって、
上記入力された画像データの濃度値と上記出力する画像データの濃度値との関係に係る濃度特性を、第１範囲においては、第１の曲線近似方法により算出し、当該濃度特性に係る第１式の各係数を上記各機能の選択に応じて調整し、当該機能に係る解像度に適した第２式を算出する第１算出手段と、
上記入力された画像データの濃度値と上記出力する画像データの濃度値との関係に係る濃度特性を、第２範囲においては、上記第１の曲線近似方法とは異なる第２の曲線近似方法により算出し、当該濃度特性に係る第３式の各係数を上記各機能の選択に応じて調整し、当該機能に係る解像度に適した第４式を算出する第２算出手段と、
上記第２及び第４式の組み合わせに基づいて、入力された画像データに対して所定の処理を施す画像処理手段と、
上記画像処理手段により各機能の解像度に適した所定の処理が施された画像データを出力する出力制御手段と、
を有することを特徴とする画像処理装置。
【請求項４】
入力された画像データに対して所定の処理を施し、各種機能の各解像度に適した画像データを出力する画像処理装置であって、
上記入力された画像データの濃度値と上記出力する画像データの濃度値との関係に係る第１及び第２の基本濃度特性を算出する第１算出手段と、
上記第１及び第２の基本濃度特性に基づいて、線形補間法により、上記各機能に対応した、当該特性間に存在する第３の濃度特性を算出する第２算出手段と、
上記第３の濃度特性に基づいて、入力された画像データに対して所定の処理を施す画像処理手段と、
上記画像処理手段により各機能の解像度に適した所定の処理が施された画像データを出力する出力制御手段と、
を具備することを特徴とする画像処理装置。
【請求項５】
入力された画像データに対して所定の処理を施し、各種機能の各解像度に適した画像データを出力する画像処理方法であって、
上記入力された画像データの濃度値と上記出力する画像データの濃度値との関係に係る濃度特性を算出し、当該濃度特性に係る第１式の各係数を上記各機能の選択に応じて調整し、当該機能に係る解像度に適した第２式を算出し、当該第２式に基づいて上記入力された画像データに対して所定の処理を施すことを特徴とする画像処理方法。
【請求項６】
入力された画像データに対して所定の処理を施し、各種機能の各解像度に適した画像データを出力する画像処理方法であって、
上記入力された画像データの濃度値と上記出力する画像データの濃度値との関係に係る濃度特性を指数関数及び対数関数の少なくともいずれかを用いた曲線近似により算出する第１のステップと、
上記算出した濃度特性に係る第１式の各係数を上記各機能の選択に応じて調整し、当該機能に係る解像度に適した第２式を算出する第２のステップと、
上記第２式に基づいて、入力された画像データに対して所定の処理を施す第３のステップと、
上記第３のステップにて、各機能の解像度に適した所定の処理が施された画像データを出力する第４のステップと、
を有することを特徴とする画像処理方法。
【請求項７】
入力された画像データに対して所定の処理を施し、各種機能の各解像度に適した画像データを出力する画像処理方法であって、
上記入力された画像データの濃度値と上記出力する画像データの濃度値との関係に係る濃度特性を、第１範囲においては、第１の曲線近似方法により算出し、当該濃度特性に係る第１式の各係数を上記各機能の選択に応じて調整し、当該機能に係る解像度に適した第２式を算出する第１のステップと、
上記入力された画像データの濃度値と上記出力する画像データの濃度値との関係に係る濃度特性を、第２範囲においては、上記第１の曲線近似方法により算出し、当該濃度特性に係る第３式の各係数を上記各機能の選択に応じて調整し、当該機能に係る解像度に適した第４式を算出する第２のステップと、
上記第２及び第４式の組み合わせに基づいて、入力された画像データに対して所定の処理を施す第３のステップと、
上記第３のステップにて各機能の解像度に適した所定の処理が施された画像データを出力する第４のステップと、
を有することを特徴とする画像処理方法。
【請求項８】
入力された画像データに対して所定の処理を施し、各種機能の各解像度に適した画像データを出力する画像処理方法であって、
上記入力された画像データの濃度値と上記出力する画像データの濃度値との関係に係る第１及び第２の基本濃度特性を算出する第１のステップと、
上記第１及び第２の基本濃度特性に基づいて、線形補間法により、上記各機能に対応した、当該特性間に存在する第３の濃度特性を算出する第２のステップと、
上記第３の濃度特性に基づいて、入力された画像データに対して所定の処理を施す第３のステップと、
上記画像処理手段により各機能の解像度に適した所定の処理が施された画像データを出力する第４のステップと、
を有することを特徴とする画像処理方法。
【請求項９】
コピー機能及びコピー機能以外の機能を有し、入力された画像データに対して所定の処理を施し、上記各種機能の各解像度に適した画像データを算出し、当該画像データに基づいて画像を形成する画像形成装置であって、
記録媒体に印刷された画像を読み取る画像読取手段と、
上記読取手段により得た画像データの濃度値と上記出力する画像データの濃度値との関係に係る上記コピー機能の解像度に適した濃度特性を算出し、当該濃度特性に係る第１式を基本として、上記第１式の各係数を上記コピー機能以外の機能の選択に応じて調整し、当該機能に係る解像度に適した第２式を算出し、当該第２式に基づいて上記入力された画像データに対して所定の処理を施す画像処理手段と、
上記画像処理手段により所定の処理が施された画像データに基づいて画像を形成する画像形成手段と、
を有することを特徴とする画像形成装置。
【請求項１０】
入力された画像データに対して所定の処理を施し、各種機能の解像度に適した画像データを算出し、当該画像データに基づいて画像を形成する画像形成装置であって、
記録媒体に印刷された画像を読み取る画像読取手段と、
上記読取手段により得た画像データの濃度値と上記出力する画像データの濃度値との関係に係る濃度特性を指数関数及び対数関数の少なくともいずれかを用いた曲線近似により算出し、当該濃度特性に係る第１式の各係数を上記各機能の選択に応じて調整し、当該機能に係る解像度に適した第２式を算出し、当該第２式に基づいて画像データに所定の処理を施す画像処理手段と、
上記画像処理手段により各機能の解像度に適した所定の処理が施された画像データに基づいて画像を形成する画像形成手段と、
を有することを特徴とする画像形成装置。
【請求項１１】
入力された画像データに対して所定の処理を施し、各種機能の解像度に適した画像データを算出し、当該画像データに基づいて画像を形成する画像形成装置であって、
記録媒体に印刷された画像を読み取る画像読取手段と、
上記読取手段により得た画像データの濃度値と上記出力する画像データの濃度値との関係に係る濃度特性を、第１範囲においては、第１の曲線近似方法により算出し、当該濃度特性に係る第１式の各係数を上記各機能の選択に応じて調整し、当該機能に係る解像度に適した第２式を算出する第１算出手段と、
上記読取手段により得た画像データの濃度値と上記出力する画像データの濃度値との関係に係る濃度特性を、第２範囲においては、上記第１の曲線近似方法とは異なる第２の曲線近似方法により算出し、当該濃度特性に係る第３式の各係数を上記各機能の選択に応じて調整し、当該機能に係る解像度に適した第４式を算出する第２算出手段と、
上記第２及び第４式の組み合わせに基づいて、入力された画像データに所定の処理を施す画像処理手段と、
上記画像処理手段により各機能の解像度に適した所定の処理が施された画像データに基づいて画像を形成する画像形成手段と、
を有することを特徴とする画像形成装置。
【請求項１２】
入力された画像データに対して所定の処理を施し、各種機能の解像度に適した画像データを算出し、当該画像データに基づいて画像を形成する画像形成装置であって、
記録媒体に印刷された画像を読み取る画像読取手段と、
上記読取手段により得た画像データの濃度値と上記出力する画像データの濃度値との関係に係る第１及び第２の基本濃度特性を算出する第１算出手段と、
上記第１及び第２の基本濃度特性に基づいて、線形補間法により、上記各機能に対応した、当該特性間に存在する第３の濃度特性を算出する第２算出手段と、
上記第３の濃度特性に基づいて、入力された画像データに所定の処理を施す画像処理手段と、
上記画像処理手段により各機能の解像度に適した所定の処理が施された画像データに基づいて画像を形成する画像形成手段と、
を具備することを特徴とする画像形成装置。
【手続補正２】
【補正対象書類名】明細書
【補正対象項目名】００１０
【補正方法】変更
【補正の内容】
【００１０】
【課題を解決するための手段】
上記目的を達成するために、本発明の第１の態様は、入力された画像データに対して所定の処理を施し、各種機能の各解像度に適した画像データを出力する画像処理装置であって、上記入力された画像データの濃度値と上記出力する画像データの濃度値との関係に係る濃度特性を算出し、当該濃度特性に係る第１式の各係数を上記各機能の選択に応じて調整し、当該機能に係る解像度に適した第２式を算出し、当該第２式に基づいて上記入力された画像データに対して所定の処理を施す画像処理手段を有することを特徴とする。
【手続補正３】
【補正対象書類名】明細書
【補正対象項目名】００１１
【補正方法】変更
【補正の内容】
【００１１】
第２の態様は、入力された画像データに対して所定の処理を施し、各種機能の各解像度に適した画像データを出力する画像処理装置であって、上記入力された画像データの濃度値と上記出力する画像データの濃度値との関係に係る濃度特性を指数関数及び対数関数の少なくともいずれかを用いた曲線近似により算出し、当該濃度特性に係る第１式の各係数を上記各機能の選択に応じて調整し、当該機能に係る解像度に適した第２式を算出し、当該第２式に基づいて上記入力された画像データに対して所定の処理を施す画像処理手段と、上記画像処理手段により各機能の解像度に適した所定の処理が施された画像データを出力する出力制御手段とを有することを特徴とする。
【手続補正４】
【補正対象書類名】明細書
【補正対象項目名】００１２
【補正方法】変更
【補正の内容】
【００１２】
第３の態様は、入力された画像データに対して所定の処理を施し、各種機能の各解像度に適した画像データを出力する画像処理装置であって、上記入力された画像データの濃度値と上記出力する画像データの濃度値との関係に係る濃度特性を、第１範囲においては、第１の曲線近似方法により算出し、当該濃度特性に係る第１式の各係数を上記各機能の選択に応じて調整し、当該機能に係る解像度に適した第２式を算出する第１算出手段と、上記入力された画像データの濃度値と上記出力する画像データの濃度値との関係に係る濃度特性を、第２範囲においては、上記第１の曲線近似方法とは異なる第２の曲線近似方法により算出し、当該濃度特性に係る第３式の各係数を上記各機能の選択に応じて調整し、当該機能に係る解像度に適した第４式を算出する第２算出手段と、上記第２及び第４式の組み合わせに基づいて、入力された画像データに対して所定の処理を施す画像処理手段と、上記画像処理手段により各機能の解像度に適した所定の処理が施された画像データを出力する出力制御手段とを有することを特徴とする。
【手続補正５】
【補正対象書類名】明細書
【補正対象項目名】００１３
【補正方法】変更
【補正の内容】
【００１３】
第４の態様は、入力された画像データに対して所定の処理を施し、各種機能の各解像度に適した画像データを出力する画像処理装置であって、上記入力された画像データの濃度値と上記出力する画像データの濃度値との関係に係る第１及び第２の基本濃度特性を算出する第１算出手段と、上記第１及び第２の基本濃度特性に基づいて、線形補間法により、上記各機能に対応した、当該特性間に存在する第３の濃度特性を算出する第２算出手段と、上記第３の濃度特性に基づいて、入力された画像データに対して所定の処理を施す画像処理手段と、上記画像処理手段により各機能の解像度に適した所定の処理が施された画像データを出力する出力制御手段とを具備することを特徴とする。
【手続補正６】
【補正対象書類名】明細書
【補正対象項目名】００１４
【補正方法】変更
【補正の内容】
【００１４】
第５の態様は、入力された画像データに対して所定の処理を施し、各種機能の各解像度に適した画像データを出力する画像処理方法であって、上記入力された画像データの濃度値と上記出力する画像データの濃度値との関係に係る濃度特性を算出し、当該濃度特性に係る第１式の各係数を上記各機能の選択に応じて調整し、当該機能に係る解像度に適した第２式を算出し、当該第２式に基づいて上記入力された画像データに対して所定の処理を施すことを特徴とする。
【手続補正７】
【補正対象書類名】明細書
【補正対象項目名】００１５
【補正方法】変更
【補正の内容】
【００１５】
第６の態様は、入力された画像データに対して所定の処理を施し、各種機能の各解像度に適した画像データを出力する画像処理方法であって、上記入力された画像データの濃度値と上記出力する画像データの濃度値との関係に係る濃度特性を指数関数及び対数関数の少なくともいずれかを用いた曲線近似により算出する第１のステップと、上記算出した濃度特性に係る第１式の各係数を上記各機能の選択に応じて調整し、当該機能に係る解像度に適した第２式を算出する第２のステップと、上記第２式に基づいて、入力された画像データに対して所定の処理を施す第３のステップと、上記第３のステップにて、各機能の解像度に適した所定の処理が施された画像データを出力する第４のステップとを有することを特徴とする。
【手続補正８】
【補正対象書類名】明細書
【補正対象項目名】００１６
【補正方法】変更
【補正の内容】
【００１６】
第７の態様は、入力された画像データに対して所定の処理を施し、各種機能の各解像度に適した画像データを出力する画像処理方法であって、上記入力された画像データの濃度値と上記出力する画像データの濃度値との関係に係る濃度特性を、第１範囲においては、第１の曲線近似方法により算出し、当該濃度特性に係る第１式の各係数を上記各機能の選択に応じて調整し、当該機能に係る解像度に適した第２式を算出する第１のステップと、上記入力された画像データの濃度値と上記出力する画像データの濃度値との関係に係る濃度特性を、第２範囲においては、上記第１の曲線近似方法により算出し、当該濃度特性に係る第３式の各係数を上記各機能の選択に応じて調整し、当該機能に係る解像度に適した第４式を算出する第２のステップと、上記第２及び第４式の組み合わせに基づいて、入力された画像データに対して所定の処理を施す第３のステップと、上記第３のステップにて各機能の解像度に適した所定の処理が施された画像データを出力する第４のステップとを有することを特徴とする。
【手続補正９】
【補正対象書類名】明細書
【補正対象項目名】００１７
【補正方法】変更
【補正の内容】
【００１７】
第８の態様は、入力された画像データに対して所定の処理を施し、各種機能の各解像度に適した画像データを出力する画像処理方法であって、上記入力された画像データの濃度値と上記出力する画像データの濃度値との関係に係る第１及び第２の基本濃度特性を算出する第１のステップと、上記第１及び第２の基本濃度特性に基づいて、線形補間法により、上記各機能に対応した、当該特性間に存在する第３の濃度特性を算出する第２のステップと、上記第３の濃度特性に基づいて、入力された画像データに対して所定の処理を施す第３のステップと、上記画像処理手段により各機能の解像度に適した所定の処理が施された画像データを出力する第４のステップとを有することを特徴とする。
【手続補正１０】
【補正対象書類名】明細書
【補正対象項目名】００１８
【補正方法】変更
【補正の内容】
【００１８】
第９の態様は、コピー機能及びコピー機能以外の機能を有し、入力された画像データに対して所定の処理を施し、上記各種機能の各解像度に適した画像データを算出し、当該画像データに基づいて画像を形成する画像形成装置であって、記録媒体に印刷された画像を読み取る画像読取手段と、上記読取手段により得た画像データの濃度値と上記出力する画像データの濃度値との関係に係る上記コピー機能の解像度に適した濃度特性を算出し、当該濃度特性に係る第１式を基本として、上記第１式の各係数を上記コピー機能以外の機能の選択に応じて調整し、当該機能に係る解像度に適した第２式を算出し、当該第２式に基づいて上記入力された画像データに対して所定の処理を施す画像処理手段と、上記画像処理手段により所定の処理が施された画像データに基づいて画像を形成する画像形成手段とを有することを特徴とする。
【手続補正１１】
【補正対象書類名】明細書
【補正対象項目名】００１９
【補正方法】変更
【補正の内容】
【００１９】
第１０の態様は、入力された画像データに対して所定の処理を施し、各種機能の解像度に適した画像データを算出し、当該画像データに基づいて画像を形成する画像形成装置であって、記録媒体に印刷された画像を読み取る画像読取手段と、上記読取手段により得た画像データの濃度値と上記出力する画像データの濃度値との関係に係る濃度特性を指数関数及び対数関数の少なくともいずれかを用いた曲線近似により算出し、当該濃度特性に係る第１式の各係数を上記各機能の選択に応じて調整し、当該機能に係る解像度に適した第２式を算出し、当該第２式に基づいて画像データに所定の処理を施す画像処理手段と、上記画像処理手段により各機能の解像度に適した所定の処理が施された画像データに基づいて画像を形成する画像形成手段とを有することを特徴とする。
【手続補正１２】
【補正対象書類名】明細書
【補正対象項目名】００２０
【補正方法】変更
【補正の内容】
【００２０】
第１１の態様は、入力された画像データに対して所定の処理を施し、各種機能の解像度に適した画像データを算出し、当該画像データに基づいて画像を形成する画像形成装置であって、記録媒体に印刷された画像を読み取る画像読取手段と、上記読取手段により得た画像データの濃度値と上記出力する画像データの濃度値との関係に係る濃度特性を、第１範囲においては、第１の曲線近似方法により算出し、当該濃度特性に係る第１式の各係数を上記各機能の選択に応じて調整し、当該機能に係る解像度に適した第２式を算出する第１算出手段と、上記読取手段により得た画像データの濃度値と上記出力する画像データの濃度値との関係に係る濃度特性を、第２範囲においては、上記第１の曲線近似方法とは異なる第２の曲線近似方法により算出し、当該濃度特性に係る第３式の各係数を上記各機能の選択に応じて調整し、当該機能に係る解像度に適した第４式を算出する第２算出手段と、上記第２及び第４式の組み合わせに基づいて、入力された画像データに所定の処理を施す画像処理手段と、上記画像処理手段により各機能の解像度に適した所定の処理が施された画像データに基づいて画像を形成する画像形成手段とを有することを特徴とする。
【手続補正１３】
【補正対象書類名】明細書
【補正対象項目名】００２１
【補正方法】変更
【補正の内容】
【００２１】
第１２の態様は、入力された画像データに対して所定の処理を施し、各種機能の解像度に適した画像データを算出し、当該画像データに基づいて画像を形成する画像形成装置であって、記録媒体に印刷された画像を読み取る画像読取手段と、上記読取手段により得た画像データの濃度値と上記出力する画像データの濃度値との関係に係る第１及び第２の基本濃度特性を算出する第１算出手段と、上記第１及び第２の基本濃度特性に基づいて、線形補間法により、上記各機能に対応した、当該特性間に存在する第３の濃度特性を算出する第２算出手段と、上記第３の濃度特性に基づいて、入力された画像データに所定の処理を施す画像処理手段と、上記画像処理手段により各機能の解像度に適した所定の処理が施された画像データに基づいて画像を形成する画像形成手段とを具備することを特徴とする。